(57)【要約】【課題】種々の吸収性物品に対応可能であり、該吸収性物品を取り付ける際に、常に再現性良く位置決めが出来る生理用ショーツを提供すること。【解決手段】本発明の生理用ショーツ１は、前身頃２、後身頃３及びこれら両者間に位置する股下部４を有し、吸収性物品６が取り付けられて使用され、前身頃２における股下部４側の領域に、該股下部４側から一定の間隔で３つの縫着線７Ａ，７Ｂ，７Ｃが形成されており、該縫着線それぞれは、ショーツ幅方向に延びており、肌当接面側から視認可能であり、縫着線７Ａ，７Ｂ，７Ｃを目印に吸収性物品６の前端部６１の位置を決めて、該吸収性物品６が取り付けられるようになされている。【選択図】図１
2008119161.tif 000002
【特許請求の範囲】
【請求項１】
前身頃、後身頃及びこれら両者間に位置する股下部を有し、吸収性物品が取り付けられて使用される生理用ショーツであって、
前記前身頃における前記股下部側の領域に、該股下部側から一定の間隔で複数の縫着線が形成されており、
前記縫着線それぞれは、ショーツ幅方向に延びており、肌当接面側から視認可能であり、
前記縫着線を目印に前記吸収性物品の前端部の位置を決めて、該吸収性物品が取り付けられるようになされている生理用ショーツ。
【請求項２】
前記前身頃の前記縫着線が形成されていない領域は、伸張性を有する前身頃形成生地により形成されており、該前身頃形成生地の伸張率は、前記股下部を形成している生地の伸張率よりも高い請求項１記載の生理用ショーツ。
【請求項３】
前記前身頃の前記縫着線が形成されている前記領域には、複数の帯状生地片が、その長手方向をショーツ幅方向と一致させて、ショーツ長手方向に並んでおり、
前記縫着線は、該帯状生地片それぞれが、互いに長手方向に縫着されて形成されている請求項２記載の生理用ショーツ。
【請求項４】
複数の前記帯状生地片それぞれは伸張性を有しており、それらの伸張率は、前記前身頃形成生地の伸張率と前記股下部を形成している前記生地の伸張率との間の値を有しており、前記股下部側に位置している帯状生地片ほど、その伸張率が低くなっている請求項３記載の生理用ショーツ。
【請求項５】
前記前身頃の前記縫着線が形成されている前記領域の両側部が、前記股下部を形成している生地と同じ生地から形成されている請求項４記載の生理用ショーツ。
【請求項６】
前記前身頃形成生地に隣接している前記帯状生地片が、メッシュ生地から形成されている請求項３〜５の何れかに記載の生理用ショーツ。
【発明の詳細な説明】
【技術分野】
【０００１】
本発明は、吸収性物品が取り付けられて使用される生理用ショーツに関する。
【背景技術】
【０００２】
従来、生理用ナプキンや失禁パッド等の吸収性物品を取り付け固定し、該吸収性物品を着用者の身体にフィットさせるために用いられる生理用ショーツが知られている。
【０００３】
例えば、特許文献１には、ショーツ本体の股部内側に、ナプキンを当てがって保持するための保持布片が設けられ、この保持布片は前身頃側の股部前端と後身頃側の股部後端とがショーツ本体に取着されるとともに、左右両側辺は未取着の開放辺とされ、かつ保持布片に当てがったナプキンの左右の折り返し片を左右の開放辺をそれぞれ介して保持布片の裏側に折り返したとき、折り返し片が当接する保持布片の裏面部分に、装着位置の目印となる補強布片が取着されており、この補強布片は、折り返し片にほぼ適合する形状に形成されている生理用ショーツが開示されている。
【０００４】
また、特許文献２には、ショーツ内側に、生理用ナプキン等の吸収性物品を装着するためのポケットを設けた生理用ショーツが開示されている。
【０００５】
【特許文献１】特許第３１８２０６９号明細書
【特許文献２】実開昭６１−１４２０３０号公報
【発明の開示】
【発明が解決しようとする課題】
【０００６】
ナプキン等の吸収性物品の寸法は様々であることから、折り返し片（ウイング部）の寸法又は位置も様々である。従って、特許文献１に記載の生理用ショーツは、ウイング部の寸法又は位置が、保持布片の寸法又は位置と異なる場合には、保持布片が吸収性物品を生理用ショーツに取り付ける位置の目印とはならない場合がある。また、ウイング部を有さない吸収性物品を使用する際には、そもそもウイング部がないため、保持布片は吸収性物品を生理用ショーツに取り付ける位置の目印とはなり得ない。
【０００７】
また、特許文献２に記載の生理用ショーツも、ポケットの寸法及び位置が固定されているため、前述したのと同様の問題がある。
【０００８】
従って、本発明の目的は、種々の吸収性物品に対応可能であり、該吸収性物品を取り付ける際に、常に再現性良く位置決めが出来る生理用ショーツを提供することにある。
【課題を解決するための手段】
【０００９】
本発明は、前身頃、後身頃及びこれら両者間に位置する股下部を有し、吸収性物品が取り付けられて使用される生理用ショーツであって、前記前身頃における前記股下部側の領域に、該股下部側から一定の間隔で複数の縫着線が形成されており、前記縫着線それぞれは、ショーツ幅方向に延びており、肌当接面側から視認可能であり、前記縫着線を目印に前記吸収性物品の前端部の位置を決めて、該吸収性物品が取り付けられるようになされている生理用ショーツを提供することにより、上記目的を達成したものである。
【発明の効果】
【００１０】
本発明の生理用ショーツによれば、種々の吸収性物品に対応可能であり、該吸収性物品を取り付ける際に、常に再現性良く位置決めが出来る。
【発明を実施するための最良の形態】
【００１１】
以下、本発明の生理用ショーツをその好ましい実施形態に基づいて、図面を参照しながら説明する。
【００１２】
第１実施形態の生理用ショーツ１（以下、単にショーツともいう）は、図１〜４に示すように、前身頃２、後身頃３及びこれら両者間に位置する股下部４を有し、吸収性物品６が取り付けられて使用される。
また、本実施形態のショーツ１は、前身頃２における股下部４側の領域に、該股下部４側から一定の間隔で３つの縫着線７Ａ，７Ｂ，７Ｃが形成されており、該縫着線それぞれは、ショーツ幅方向に延びており、肌当接面側から視認可能であり、縫着線７Ａ，７Ｂ，７Ｃを目印に吸収性物品６の前端部６１の位置を決めて、該吸収性物品６が取り付けられるようになされている。
【００１３】
本実施形態のショーツ１について、更に以下に説明する。
ショーツ１は、着用者の腹側に配される前身頃２及び着用者の背側に配される後身頃３を有しており、該前身頃２の両側縁部と該後身頃３の両側縁部とが互いに縫着により接合されてウエスト開口部７及び一対のレッグ開口部８，８が形成されている。
【００１４】
また、図３は、図１に示すショーツ１を、前記両側縁部で前身頃２と後身頃３とを切断し展開した状態を肌当接面側から見た平面図である。このように、ショーツ１は縦長であり、その長手方向がショーツ１の前後方向と一致している。
【００１５】
ショーツ１は、前身頃２、後身頃３、股下部４の各々のパーツを縫合してショーツが構成されており、各々の両端周縁部を縫合してある。
本実施形態の前身頃２は、ウエスト開口部７側の上側部２２と股下部４側の下側部２３とから形成されている。前身頃２の股下部４側の前記領域は、下側部２３である。
【００１６】
また、ショーツ１は、前身頃２の上側部２２が前身頃形成生地２１から形成されており、後身頃３が後身頃形成生地３１から形成されており、股下部４が股下部形成生地４１から形成されている。各生地２１，３１，４１は、肌触りが良く、通気性及び吸湿性が高いことが好ましい。また各生地２１，３１，４１は、ショーツ１の長手方向及び幅方向それぞれに伸縮性を有しており、着用者の身体とのフィット性が高められている。生地が伸縮性を有するとは、同時に伸張性も有することを意味する。
【００１７】
また、本実施形態では、股下部形成生地４１の肌当接面側に、股下内側部４２が形成されている。この股下内側部４２も、股下部形成生地４１と同様に、股下部４を形成している生地である。即ち、本実施形態では、股下部４は、股下部形成生地４１及び股下内側部４２の２種類の生地から形成されている。
【００１８】
また、股下部４に取り付け固定される吸収性物品６について説明すると、吸収性物品６は、図４に示すように、ショーツ１に固定されるためのずれ止め材６２を有しており、該ずれ止め材６２を介して、ショーツ１に取り付けられる。
【００１９】
本実施形態のショーツ１において、縫着線７Ａ，７Ｂ，７Ｃが形成されている前記領域としての下側部２３には、図１〜３に示すように、３つの帯状生地片５Ａ，５Ｂ，５Ｃが、その長手方向をショーツ幅方向と一致させて、ショーツ長手方向に並んでおり、縫着線７Ａ，７Ｂ，７Ｃは、該帯状生地片５Ａ，５Ｂ，５Ｃそれぞれが、互いに長手方向に縫着されて形成されている。
【００２０】
帯状生地片５Ａ，５Ｂ，５Ｃは、横長であり、その長手方向がショーツ１の幅方向と一致している。帯状生地片５Ａは、図４に示すように、その長手方向の一方の側部が前身頃形成生地２１と縫着線７Ａにより縫着されており、他方の側部が帯状生地片５Ｂの一方の側部と縫着線７Ｂにより縫着されている。また、帯状生地片５Ｂは、その長手方向の他方の側部が帯状生地片５Ｃの一方の側部と縫着線７Ｃにより縫着されている。そして、帯状生地片５Ｃの他方の側部は、股下部形成生地４１と縫着されている。
３つの縫着線７Ａ，７Ｂ，７Ｃそれぞれの向きは、図１〜３に示すように、ショーツ１の幅方向と一致している。
【００２１】
縫着線７Ａは、縫着糸が、帯状生地片５Ａの肌当接面側から前身頃形成生地２１の非肌当接面側へ挿通され、その後前身頃形成生地２１の非肌当接面側から帯状生地片５Ａの肌当接面側へ挿通され、この挿通が繰り返され、図１〜３に示すように、ジグザグの軌跡を描くように、前身頃形成生地２１と帯状生地片５Ａとを縫着して形成されている。そのため、縫着線７Ａは、図１及び図２に示すように、前身頃２の非肌当接面側及び肌当接面側それぞれから視認可能である。
縫着線７Ｂ，７Ｃも、同様に形成されており、それぞれが、前身頃２の非肌当接面側及び肌当接面側それぞれから視認可能である。
【００２２】
この縫着線７Ａ，７Ｂ，７Ｃは、図４に示すように、吸収性物品６をショーツ１に取り付ける際に、ショーツ１の長手方向において、吸収性物品６の前端部６１の位置決めの目印となりうるものである。
【００２３】
本実施形態のショーツ１において、前身頃形成生地２１の下側部２３側の端部は、図４に示すように、縫着線７Ａから延出して、帯状生地片５Ａの非肌当接面側の面の一部を覆っている。
また、帯状生地片５Ａの他方の側部は、縫着線７Ｂから延出して、帯状生地片５Ｂの非肌当接面側の面の一部を覆っている。同様に、帯状生地片５Ｂの他方の側部は、縫着線７Ｃから延出して、帯状生地片５Ｃの非肌当接面側の面の一部を覆っている。
【００２４】
このように、前身頃２の下側部２３を非肌当接面側から見た場合には、前身頃形成生地２１及び帯状生地片５Ａ，５Ｂからなるフリルが形成されており、ショーツの意匠性（デザイン性）が高められている。
【００２５】
本実施形態のショーツ１について、更に説明すると、前身頃２の縫着線７Ａ，７Ｂ，７Ｃが形成されていない領域としての上側部２２は、前述したように、伸縮性を有する前身頃形生地２１により形成されており、該前身頃形成生地２１の伸張率は、股下部４を形成している生地の伸張率よりも高くなっている。即ち、前身頃形成生地２１は、股下部４を形成している生地よりも、伸び易く且つ身体を圧迫する力が弱い生地である。ここで、「股下部４を形成している生地の伸張率」とは、股下部を形成している生地が本実施形態のように複数（本実施形態では股下部形成生地４１及び股下内側部４２の２種類）ある場合は、股下部を形成する複数の生地のうち、伸張率が最も低い生地の伸張率を意味する。本実施形態では、前身頃形成生地２１の伸張率は、股下部４を形成している生地４１及び／又は４２の伸張率よりも高くなっており、前身頃形成生地２１は、生地４１及び／又は４２よりも、伸び易く且つ身体を圧迫する力が弱い生地である。
【００２６】
また、前身頃２の下側部２３を形成する３つの帯状生地片５Ａ，５Ｂ，５Ｃそれぞれは伸縮性、即ち伸張性を有しており、それらの伸張率は、前身頃形成生地２１の伸張率と股下部４を形成している生地の伸張率との間の値を有しており、股下部４側に位置している帯状生地片ほど、その伸張率が低くなっている。つまり、帯状生地片５Ｃの伸張率が最も低く、帯状生地片５Ａの伸張率が最も高い。帯状生地片５Ａ，５Ｂ，５Ｃそれぞれは、ショーツ長手方向及び幅方向それぞれに伸張性を有している。尚、ここでいう、「股下部４を形成している生地の伸張率」は上記と同じ意味である。本実施形態では、帯状生地片５Ａ，５Ｂ，５Ｃの伸張率は、前身頃形成生地２１の伸張率と股下部４を形成している生地４１及び／又は４２の伸張率との間の値を有している。
【００２７】
帯状生地片それぞれの伸張率は、例えば、各帯状生地片の製造に用いた編地の繊維密度を変化させて違えることができる。各帯状生地片が、同じ繊維から構成されている場合には、編地の繊維密度を高める程、その伸張率が低くなる。
また、帯状生地片それぞれの伸張率は、複数の生地片を重ねて接合することで、生地片の伸張率を低くすることができる。
また、帯状生地片の一部における、編み方及び／又は編み込む糸を、他の部分とは異ならせることで、帯状生地片全体の伸張率を変化させることもできる。
【００２８】
各生地片の伸張率は、例えば、下記方法により測定することができる。
まず、各生地から、７×２．５ｃｍの寸法の測定サンプルを切り出す。次に、この測定サンプルを、装置名ORIENTEC TENSILON RTA-100を用いて、その伸張率を測定する。ORIENTEC TENSILON RTA-100のチャック間を５ｃｍとして、サンプルをチャックに挟み込んで固定させ、引張スピード１００ｍｍ／分で、引張荷重５００ｇ時の伸びを測定し、７ｃｍの測定サンプルが５ｃｍを基準に伸びた量（Ｘｃｍ）を計測し、次式で算出する値を伸張率とする（測定は５回行い平均する）。  式：[（Ｘ＋５）／５]×１００
【００２９】
前述した方法により測定された股下部形成生地４１及び股下内側部４２の伸張率は、それぞれ、１１０〜２４０％、特に１２０〜２２０％が好ましい。前身頃形成生地２１の伸張率は、１８０〜３５０％、特に１９０〜３２０％が好ましい。
また、帯状生地片５Ａの伸張率は、１６０〜３１０％、特に１７０〜２９０％、帯状生地片５Ｂの伸張率は、１５０〜２８０％、特に１６０〜２６０％、帯状生地片５Ｃの伸張率は、１４０〜２５０％、特に１５０〜２３０％であることが好ましい。
【００３０】
各生地が前述した範囲の伸張率を有することにより、前身頃２の締め付けをウエスト開口部７に向う程弱くして吸収性物品の身体への固定と下腹部の押さえを良くすることができる。また、所定の強さで、ショーツ着用者のヒップ部と股下を押さえることにより、良好なフィット性を確保すると共に、吸収性物品６が着用者の肌へ当接する。
【００３１】
縫着線７Ａ，７Ｂ，７Ｃについて更に説明すると、各縫着線７Ａ，７Ｂ，７Ｃ同士の間隔は、本実施形態では略同じである。具体的には、該間隔をショーツ１の長手方向に測定した長さは、１０〜４０ｍｍ、特に１５〜３０ｍｍであることが、吸収性物品６における前端部６１の位置決めが、し易くなる上で好ましい。
また、縫着線７Ａ，７Ｂ，７Ｃの各々の幅（ショーツ１の幅方向に測定した最大長さ）は、７０〜２５０ｍｍ、特に１００〜２３０ｍｍであることが、同様の観点から好ましい。
【００３２】
本実施形態では、前身頃形成生地２１に隣接している帯状生地片５Ａが、メッシュ生地から形成されていることが、良好な通気性を確保する上で好ましい。この場合、前身頃形成生地２１が縫着線７Ａから延出する部分を、縫着線７Ｂに達する程度に長くして、非肌当接面側から、ショーツ着用者の肌が直接視認できないようにすることも好ましい。
【００３３】
本実施形態のショーツ１について、更に説明すると、ショーツ１は、図１〜３に示すように、前身頃２の幅方向寸法より後身頃３の幅方向寸法が大きくなるように形成され、前身頃２がショーツ１の胴周り側部よりも腹側に偏倚した位置で縫合されるので、前身頃２と後身頃３と股下部４との縫合線がショーツ１の腹側に位置している。
【００３４】
また、本実施形態では、上述したように、股下部４を形成する股下部形成生地４１の肌当接面側には、股下内側部４２が形成されている。吸収性物品６は、股下内側部４２を主体としてショーツ１に取り付けられる。股下内側部４２は、他の部位（股下部形成生地４１、前身頃形成生地２１、帯状生地片５Ａ，５Ｂ，５Ｃ）に比して伸張率の低い生地から形成されていることが、吸収性物品６の装着安定性の観点から好ましい。股下内側部４２は、図２及び図３に示すように、股下部形成生地４１よりも狭幅となっている。本実施形態のショーツ１における股下部４は、いわゆる２重クロッチ（ダブルクロッチともいう）である。２重クロッチの股下部は、特にウイング付き吸収性物品の装着に好適である。吸収性物品の左右に設けられている一対のウイング部は、それぞれ、股下内側部４２の下側に接着固定されるので、一対の該ウイング部は、股下部形成生地４１により覆われている。そのため、一対の該ウイング部は、ショーツ１の外側に露出しないため、体の動きによって、ウイング部が股下部４から剥がれ難くなっている。尚、前述したように、吸収性物品６の前端部６１近傍は、前身頃２の下側部２３の肌当接面側に接着される。
【００３５】
更に説明すると、股下内側部４２は、その前後端が股下部形成生地４１に縫合されて固着されている。縫合位置は、股下部形成生地４１が帯状生地片５Ｃ及び後身頃形成生地３１と縫合される位置と同位置になっている。縫合された股下内側部４２の前後端の間は、その全域が図４に示すように股下部形成生地４１から離隔可能になっている。つまり、股下内側部４２と股下部形成生地４１とは、前記前後端の間の全域が互いに離隔可能になっている。
【００３６】
帯状生地片５Ａ，５Ｂ，５Ｃそれぞれの両側縁は、円弧状に形成されており、該側縁には、伸縮性を有するレース状の脚回りテープが縫着されている。この脚回りテープは、レッグ開口部８の全周に設けられている。
【００３７】
本実施形態のショーツ１おいて、前身頃形成生地２１、後身頃形成生地３１及び股下部形成生地４１の形成材料としては、従来の生理用ショーツ等において用いられている各種の伸縮性を有する布材料を用いることができるが、特にポリウレタン糸と綿糸やナイロン糸と交編にして編み込んだ緯編や経編、また綿糸やナイロン糸、ポリエステル糸をベースにした緯編した編物が好ましい。
また、帯状生地片５Ａ，５Ｂ，５Ｃの形成材料としては、従来の生理用ショーツ等において用いられている各種の伸縮性を有する布材料を用いることができるが、特にパワーネットやサテントリコットや通常の天竺やフライスなどが好ましい。
【００３８】
帯状生地片５Ａ，５Ｂ，５Ｃは、比較的小さな生地片から形成されるので、他の製品を作製する際に余った生地を使用できるため、製造コストの低減を図ると共に、資源の有効活用が可能である。また、少量なので、比較的コストの高い機能性生地を帯状生地片５Ａ，５Ｂ，５Ｃに用いても、全体としてはコストを抑えてショーツ１を作製することが可能である。
【００３９】
各縫着線７Ａ，７Ｂ，７Ｃを形成する糸は、それぞれ、異なる色を有する糸を用いることが、縫着線ごとの識別性が向上して、吸収性物品の位置決めがし易くなる上で好ましい。
また、同様の観点から、前記糸の色は、ショーツ１の肌当接面側で縫着されている帯状生地片５Ａ，５Ｂ，５Ｃの色に対してコントラストの良い色を用いることが、該糸の視認性を向上する上で好ましい。
前記糸の形成材料としては、伸縮性を有するポリウレタン繊維を用いることが、該糸と吸収性物品６との間の摩擦係数が高くなり、吸収性物品６の位置ずれが防止されると共に、前身頃２の幅方向に伸縮性を与える上で好ましい。
【００４０】
吸収性物品６としては、ずれ止め材で固定する吸収性物品であれば特に制限はなく、生理用ナプキン、失禁用パッド、パンティライナー、補助パッド等の吸収性物品が挙げられる。
【００４１】
前述した本実施形態の生理用ショーツによれば、同じ吸収性物品を使用する際には、その前端部を、毎回、縫着線７Ａ，７Ｂ，７Ｃに対して同じ位置に取り付けることで、常に再現性良く吸収性物品の位置決めが出来る。この場合、吸収性物品６の前端縁を縫着線に揃えても良いし、該前端縁を、縫着線と縫着線との間に位置させても良い。
また、寸法等が異なる吸収性物品を用いる場合には、最初だけ該吸収性物品の適切な取り付け位置を縫着線７Ａ，７Ｂ，７Ｃに対して確認することにより、その後は、毎回、縫着線７Ａ，７Ｂ，７Ｃに対して同じ位置に該吸収性物品を取り付けることで、再現性良く吸収性物品の位置決めが出来る。
このように、本発明のショーツ１は、吸収性物品のウイング部の有無に関係なく、常に再現性良く吸収性物品の位置決めが出来る。
【００４２】
また、帯状生地片同士の重なり部分は、他の部分よりも厚みが増した段差部を形成しているので、吸収性物品６の前端部６１が該段差部にあたるため、吸収性物品６の位置ずれが防止される。
更に、帯状生地片５Ａ，５Ｂ，５Ｃそれぞれの両側縁が円弧状に形成されており、着用者の脚周りとのフィット性が良好であると共に、レース状の脚回りテープの伸びを有効にする。
【００４３】
次に第２実施形態の生理用ショーツ１を、図５を参照しながら説明する。第２実施形態について、特に説明しない点については、第１実施形態に関して詳述した説明が適宜適用される。また、図５において、図１〜図４と同じ部材に同じ符号を付してある。
【００４４】
本発明の生理用ショーツ１の好ましい第２実施形態は、図５に示すように、前身頃２の縫着線７Ａ，７Ｂ，７Ｃが形成されている前記領域である下側部２３の両側部２３Ａ、２３Ａが、股下部４を形成している生地４１と同じ生地から形成されている。
本実施形態のショーツ１を構成している各生地の伸張率は、前述した実施形態と同様であり、両側部２３Ａ、２３Ａを形成している生地の伸張率は、下側部２３の中央部を形成している帯状生地片５Ａ，５Ｂ，５Ｃよりも低くなっている。
本実施形態では、両側部２３Ａ、２３Ａには、縫着線が形成されている。
【００４５】
本実施形態のショーツ１は、ショーツ着用者に着用されたときに、下側部２３の中央部がショーツ１の長手方向及び幅方向に良好に伸張する一方、前記両側部２３Ａ、２３Ａは相対的に伸張しない。そのため、下側部２３の脚周り部と共に、股下部４が該両側部２３Ａ、２３Ａによって上方へ引き上げられ、足回り部が身体に良好にフィットし、且つ股下部４に固定した吸収性物品も身体に対して良好にフィットさせることができる。
【００４６】
本実施形態では、縫着線７Ａ，７Ｂ，７Ｃをショーツ１の幅方向に測定した長さは、５〜１９０ｍｍ、特に７〜１００ｍｍであることが、前記両側部２３Ａ、２３Ａの幅を確保すると共に、吸収性物品６の位置決めの観点から好ましい。
【００４７】
本発明のショーツは、上述した実施形態に制限されることなく、本発明の趣旨を逸脱しない限り適宜変更が可能である。
例えば、本発明のショーツ１は、前述した実施形態では、前身頃２の下側部２３が複数の帯状生地片から形成されていたが、前身頃２はショーツ１の幅方向に延びる複数の縫着線が形成されていれば良く、前身頃２は一枚の生地から形成されていても良い。
【００４８】
また、前述した実施形態では、前身頃２の下側部２３が、３つの帯状生地片５Ａ，５Ｂ，５Ｃから形成されていたが、下側部２３は、２つ又は３つ以上の帯状生地片から形成されていても良い。
更に、前述した一の実施形態のみが有する部分は、すべて適宜相互に利用できる。
【図面の簡単な説明】
【００４９】
【図１】図１は、本発明の生理用ショーツの第１実施形態を示す正面図である。
【図２】図２は、図１に示す生理用ショーツを裏返した状態を示す正面図である。
【図３】図３は、図１に示す生理用ショーツの展開状態を非肌当接面側からみた平面図である。
【図４】図４は、図３のＸ−Ｘ線拡大断面図である。
【図５】図５は、本発明の生理用ショーツの第２実施形態を示す図３に相当する平面図である。
【符号の説明】
【００５０】
１      生理用ショーツ
２      前身頃
２１    前身頃形成生地
２２    上側部
２３    下側部
３      後身頃
３１    後身頃形成生地
４      股下部
４１    股下部形成生地
４２    股下内側部
５Ａ、５Ｂ、５Ｃ      帯状生地片
６      吸収性物品
６１  前端部
６２  ずれ止め材
７Ａ，７Ｂ，７Ｃ      縫着線
８      レッグ開口部
【図１】
2008119161.tif 000003
【図２】
2008119161.tif 000004
【図３】
2008119161.tif 000005
【図４】
2008119161.tif 000006
【図５】
2008119161.tif 000007